(57)【特許請求の範囲】
【請求項１】
病室内の各病床に設置され呼出ボタン(１１ａ〜１５ａ、１１ｂ〜１５ｂ、・・・)を備えた子機（１ａ〜５ａ、１ｂ〜５ｂ、・・・）と、前記病室毎に設置され前記呼出ボタンの呼出しを検出する集合廊下灯（２０ａ、２０ｂ、・・・）と、前記呼出しが制御機（３０）を介して通報されるナースコール親機（４０）と、前記ナースコール親機に接続され前記呼出しに応じて呼出した病室の方向を表示する複数の方向表示灯（６０ａ〜６０ｄ）とを有するナースコールシステムであって、
前記ナースコール親機には、前記複数の方向表示灯の点灯設定を行うＣＰＵ（４２）と、前記設定に移行するために押下される設定ボタン（４７）と、前記子機をそれぞれ選局するために押下される子機選局ボタン（４３ａ、４３ｂ、・・・）と、押下された前記子機選局ボタンに応じて点灯する子機表示ＬＥＤ（４４ａ、４４ｂ、・・・）および前記複数の方向表示灯に対応して設置され点滅する方向表示ボタン（４５ａ〜４５ｄ）と、前記子機からの呼出前における前記方向表示ボタンの押下を検出した前記ＣＰＵにより予め設定される前記方向表示灯を点灯させるための登録情報に、前記子機からの呼出前に押下された前記子機選局ボタンに該当する呼出元の前記子機の呼出元情報を加え、呼出通報登録情報として送信するデータ送信回路（４１）とを備え、
前記制御機には、送信されてきた前記呼出通報登録情報を受信するデータ受信回路（３１）と、前記呼出通報登録情報を前記子機から呼出されたとき該当する方向表示灯を点灯させるように記憶するメモリ（３３）とを備えたことを特徴とするナースコールシステム。
【発明の詳細な説明】
【０００１】
【発明の属する技術分野】
本発明はチームナーシングに対応可能なナースコールシステムに係り、特にチームナーシングの機能を損なわずに、呼出した病室の方向を表示する複数の方向表示灯の設定および制御を、ナースコール親機にて行うことができるナースコールシステムに関する。
【０００２】
【従来の技術】
従来から、チームナーシングに対応可能なナースコールシステムとして、図２の回路ブロック図に示す構成のナースコールシステムが提案されている。
【０００３】
同図に示すナースコールシステムにおいて、病室番号が１０１号室、１０２号室、・・・に予め割り当てられた病室内の各病床に設置される子機１０１ａ〜１０５ａ、１０１ｂ〜１０５ｂ、・・・には、当該病床の患者がナースセンター内の看護婦および（または）巡回中の看護婦に対して呼出しが必要とされる場合に押下する呼出ボタン、ここではチーム番号が第１〜第４チームに予め割り当てられた第１〜第４チーム呼出ボタン１１１ａ〜１１４ａ、１１１ｂ〜１１４ｂ、・・・、および各チーム共通として予め割り当てられたチーム共通呼出ボタン１１５ａ、１１５ｂ、・・・がそれぞれ備えられている。また、子機１０１ａ〜１０５ａ、１０１ｂ〜１０５ｂ、・・・の第１〜第４チーム呼出ボタン１１１ａ〜１１４ａ、１１１ｂ〜１１４ｂ、・・・、およびチーム共通呼出ボタン１１５ａ、１１５ｂ、・・・には、病室（１０１号室、１０２号室、・・・）毎に設置される集合廊下灯１２０ａ、１２０ｂ、・・・の呼出検出回路１２１ａ〜１２５ａ、１２１ｂ〜１２５ｂ、・・・をそれぞれ介してＣＰＵ（以下、廊下灯ＣＰＵと称す）１２６ａ、１２６ｂ、・・・が接続されており、この廊下灯ＣＰＵ１２６ａ、１２６ｂ、・・・には、データ送受信回路１２７ａ、１２７ｂ、・・・、幹線Ｌ101a、Ｌ101b、・・・をそれぞれ介して制御機１３０のデータ送受信回路１３１が接続されている。
【０００４】
制御機１３０のデータ送受信回路１３１には、メモリ１３３に接続されたＣＰＵ（以下、制御機ＣＰＵと称す）１３２と、幹線Ｌ102を介してナースセンター内に設置されるナースコール親機１４０のデータ送受信路１４１と、幹線Ｌ103を介して方向表示制御機１６０のデータ送受信回路１６１と、幹線Ｌ104を介してハンディナース主装置１９０のデータ送受信回路１９１とがそれぞれ接続されている。
【０００５】
ナースコール親機１４０のデータ送受信回路１４１には、ＣＰＵ（以下、親機ＣＰＵと称す）１４２が接続されており、この親機ＣＰＵ１４２には、子機選局ボタン１４３ａ、１４３ｂ、・・・、子機表示ＬＥＤ１４４ａ、１４４ｂ、・・・、第１〜第４チーム選択ボタン１４５ａ〜１４５ｄ、設定ボタン１４６、登録ボタン１４７、確認ボタン１４８、取消ボタン１４９がそれぞれ接続されており、上述のボタンおよびＬＥＤは、親機ＣＰＵ１４２の制御により動作状態に対応して点灯、点滅、消灯するものである。
【０００６】
方向表示制御機１６０のデータ送受信回路１６１には、ＣＰＵ（以下、方向表示制御機ＣＰＵと称す）１６２が接続されており、この方向表示制御機ＣＰＵ１６２には、左・上・下・右の各方向を設定するジャンパー線１６４ａ〜１６４ｄを備えた方向表示灯設定器１６３ａ〜１６３ｄと、コレクタに電源Ｖccが、エミッタに他端が基準電位点に接続されたリレー１６６ａ〜１６６ｄの一端がそれぞれ接続されたＮＰＮ型トランジスタ（以下、トランジスタと称す）１６５ａ〜１６５ｄのベースとがそれぞれ接続されている。また、方向表示制御機１６０には、上述のリレー１６６ａ〜１６６ｄの駆動／非駆動に連動して閉成／開成されるリレースイッチ１６７ａ〜１６７ｄが備えられており、このリレースイッチ１６７ａ〜１６７ｄの切換接点には電源Ｖccが、メイク接点には他端が基準電位点に接続された複数の方向表示灯、ここでは左・上・下・右の各方向の方向表示灯１５０ａ〜１５０ｄの一端がそれぞれ接続されている。
【０００７】
ハンディナース主装置１９０のデータ送受信回路１９１には、ＣＰＵ（以下、主装置ＣＰＵと称す）１９２が接続されており、この主装置ＣＰＵ１９２には、データ送受信回路１９３、幹線Ｌ105を介してチーム毎に指定された巡回中の看護婦により携帯される複数のハンディナース子機１７０ａ〜１７０ｄをそれぞれ無線制御（呼出通報制御、通話制御等）するハンディナース基地局１８０が接続されている。
【０００８】
このように構成されたナースコールシステムにおいて、呼出した病室（１０１号室、１０２号室、・・・）内の当該病床の患者を受け容れる複数のハンディナース子機１７０ａ〜１７０ｄを、患者を受け持つチーム単位毎で設定する、即ち、チームナーシングの設定を行う、ここでは１０１号室内の子機１０１ａが設置された病床の患者からの呼出しを、ハンディナース子機１７０ａのみに通報させるよう設定するためには、先ずナースセンター内の看護婦がナースコール親機１４０の設定ボタン１４６を押下、例えば１回押下する。この操作を検出して待受状態から設定状態（以下、チームナーシング設定状態と称す）に移行された親機ＣＰＵ１４２は、設定ボタン１４６を点灯させる。これを確認後、１０１号室内の子機１０１ａに該当した子機選局ボタン１４３ａを押下すると、この操作を検出した親機ＣＰＵ１４２の制御により、１０１号室内の子機１０１ａに該当した子機表示ＬＥＤ１４４ａが点灯されるとともに第１〜第４チーム選択ボタン１４５ａ〜１４５ｄが全て点滅される。
【０００９】
ここで、１０１号室内の子機１０１ａが設置された病床の患者からの呼出しを通報させる当該ハンディナース子機を、ハンディナース子機１７０ａに設定するためには、第１チームに該当したナースコール親機１４０の第１チーム選択ボタン１４５ａを押下する。この操作を検出した親機ＣＰＵ１４２は、点滅されている第１〜第４チーム選択ボタン１４５ａ〜１４５ｄのうち、第１チーム選択ボタン１４５ａのみ点滅状態を保持させ、他のチーム選択ボタン１４５ｂ〜１４５ｄについては消灯させるとともに登録ボタン１４７を点滅させる。これを確認後、登録ボタン１４７を押下すると、この操作を検出した親機ＣＰＵ１４２は、１０１号室内の子機１０１ａが設置された病床の患者から呼出された際の呼出元情報にハンディナース子機１７０ａのみを呼出す登録情報（以下、チームナーシング登録情報と称す）を加えた呼出通報登録情報（以下、呼出通報登録情報データと称す）Ｓ101をデータ送受信回路１４１に送出し、この呼出通報登録情報データＳ101は、データ送受信回路１４１、幹線Ｌ102、制御機１３０のデータ送受信回路１３１、制御機ＣＰＵ１３２を介してメモリ１３３に記憶されるとともに、親機ＣＰＵ１４２の制御により、第１チーム選択ボタン１４５ａ、登録ボタン１４７が点灯され、かつ所定の時間、例えば２秒後には、点灯中の全てのボタン、ＬＥＤが消灯され、チームナーシング設定状態の当該親機ＣＰＵは待受状態に復旧する。
【００１０】
尚、上述と同様な操作により、１０１号室内の子機１０２ａ〜１０５ａが設置された病床の患者、１０２号室、・・・の子機１０１ｂ〜１０５ｂ、・・・が設置された病床の患者からの呼出しを通報させる当該ハンディナース子機を、チーム単位毎に設定することができる（詳述せず）。また、チームナーシングの設定内容を確認する操作、および取消す操作についての説明は省略する。
【００１１】
次に、上述のようにチームナーシングが設定されている際、病室（１０１号室、１０２号室、・・・）内の当該病床の患者、ここでは１０１号室内の子機１０１ａが設置された病床の患者がナースセンター内の看護婦および（または）ハンディナース子機１７０ａを携帯した巡回中の看護婦に対して呼出しが必要とされ、第１チーム呼出ボタン１１１ａを押下すると、この操作を検出した集合廊下灯１２０ａの呼出検出回路１２１ａから廊下灯ＣＰＵ１２６ａに（呼出元の）子機情報が送出される。廊下灯ＣＰＵ１２６ａは、呼出検出回路１２１ａからの子機情報に１０１号室の病室情報を加えた呼出データＳ102をデータ送受信回路１２７ａに送出し、この呼出データＳ102は、データ送受信回路１２７ａ、幹線Ｌ101a、制御機１３０のデータ送受信回路１３１を介して制御機ＣＰＵ１３２に伝送される。
【００１２】
制御機１３０の制御機ＣＰＵ１３２は、集合廊下灯１２０ａからの呼出データＳ102をなす病室情報、子機情報と、メモリ１３３に予め記憶されている呼出通報登録情報データＳ101をなす呼出元情報、チームナーシング登録情報とを照合し、病室情報、子機情報を含む呼出通報データＳ103aをデータ送受信回路１３１、幹線Ｌ102、ナースコール親機１４０のデータ送受信回路１４１を介して親機ＣＰＵ１４２に、病室情報を含む呼出通報データＳ103bをデータ送受信回路１３１、幹線Ｌ103、方向表示制御機１６０のデータ送受信回路１６１を介して方向表示制御機ＣＰＵ１６２に、病室情報、子機情報、およびチームナーシング登録情報を含む呼出通報データＳ103cをデータ送受信回路１３１、幹線Ｌ104、ハンディナース主装置１９０のデータ送受信回路１９１を介して主装置ＣＰＵ１９２にそれぞれ送出する。
【００１３】
ナースコール親機１４０の親機ＣＰＵ１４２は、制御機１３０からの呼出通報データＳ103aをなす病室情報、子機情報をもとに、１０１号室内の子機１０１ａが設置された病床の患者からの呼出しを検出し、この呼出しをナースセンター内の看護婦に通報するために、１０１号室内の子機１０１ａに該当した子機表示ＬＥＤ１４４ａを点滅させるとともに図示しない呼出通報機能を能動とし呼出音を鳴動させる。
【００１４】
方向表示制御機１６０の方向表示制御機ＣＰＵ１６２は、制御機１３０からの呼出通報データＳ103bをなす病室情報をもとに、呼出元に該当した方向表示灯設定器１６３ａを制御する。ここで、方向表示灯設定器１６３ａのジャンパー線１６４ａが予め左方向に設定されていると、方向表示制御機ＣＰＵ１６２の制御により左方向に該当したトランジスタ１６５ａのみがオンされ、これに連動してリレー１６６ａが駆動しリレースイッチ１６７ａが閉成される。また、リレースイッチ１６７ａの閉成により、左方向表示灯１５０ａが点灯し呼出した１０１号室の方向が表示される。
【００１５】
ハンディナース主装置１９０の主装置ＣＰＵ１９２は、制御機１３０からの呼出通報データＳ103cを、データ送受信回路１９３、幹線Ｌ105を介してハンディナース基地局１８０に送出し、ハンディナース基地局１８０は、呼出通報データＳ103cをなすチームナーシング登録情報をもとに、複数のハンディナース子機１７０ａ〜１７０ｄのうち、ハンディナース子機１７０ａにのみ呼出通報データＳ103cを無線伝送させる。
【００１６】
ハンディナース子機１７０ａは、ハンディナース基地局１８０からの呼出通報データＳ103cをなす病室情報、子機情報をもとに、１０１号室内の子機１０１ａが設置された病床の患者からの呼出しを検出し、この呼出しを巡回中の看護婦に通報するために、図示しない呼出通報機能を能動とし呼出音を鳴動させるとともにモニタに呼出元情報を表示させる。
【００１７】
【発明が解決しようとする課題】
しかしながら、従来のナースコールシステムにおいて、呼出した病室（１０１号室、１０２号室、・・・）の方向を表示する複数の方向表示灯１５０ａ〜１５０ｄの設定および制御には、高価とされる方向表示制御機１６０が必要とされ施工コストが増大する難点があった。また、方向表示制御機１６０の方向表示灯設定器１６３ａ〜１６３ｄに備えられるジャンパー線１６４ａ〜１６４ｄは、施工業者により病室毎の設定が必要とされ、方向表示制御機１６０の設置場所に起因して非常に煩わしい作業となる難点があった。
【００１８】
本発明は、上述の難点を解消するためになされたもので、チームナーシングの機能を損なわずに、呼出した病室の方向を表示する複数の方向表示灯の設定および制御を、ナースコール親機にて行うことにより、方向表示制御機を不要としたナースコールシステムを提供することを目的とする。
【００１９】
【課題を解決するための手段】
このような目的を達成するため、本発明によるナースコールシステムは、病室内の各病床に設置され呼出ボタンを備えた子機と、病室毎に設置され呼出ボタンの呼出しを検出する集合廊下灯と、呼出しが制御機を介して通報されるナースコール親機と、ナースコール親機に接続され呼出しに応じて呼出した病室の方向を表示する複数の方向表示灯とを有するナースコールシステムであって、ナースコール親機には、複数の方向表示灯の点灯設定を行うＣＰＵと、設定に移行するために押下される設定ボタンと、子機をそれぞれ選局するために押下される子機選局ボタンと、押下された子機選局ボタンに応じて点灯する子機表示ＬＥＤおよび複数の方向表示灯に対応して設置され点滅する方向表示ボタンと、子機からの呼出前における方向表示ボタンの押下を検出したＣＰＵにより予め設定される方向表示灯を点滅させるための登録情報に、子機からの呼出前に押下された子機選局ボタンに該当する呼出元の子機の呼出元情報を加え、呼出通報登録情報として送信するデータ送信回路とを備え、制御機には、送信されてきた呼出通報登録情報を受信するデータ受信回路と、呼出通報登録情報を子機から呼出されたとき該当する方向表示灯を点灯させるように記憶するメモリとを備えたことを特徴としている。
【００２０】
このようなナースコールシステムによれば、巡回中の看護婦が携帯する複数のハンディナース子機のうち、病室内の当該病床の患者が押下する子機の呼出ボタンからの呼出しを受け容れる当該ハンディナース子機をチーム単位毎で設定および制御するチームナーシングの機能を損なわずに、呼出した病室の方向を表示する複数の方向表示灯を、子機の呼出ボタンからの呼出しが集合廊下灯、制御機を介して通報されるナースセンター内のナースコール親機にて設定および制御できる。これにより、複数の方向表示灯を設定および制御するための方向表示制御機が不要となり施工コストが抑制されるとともに、施工業者による作業の簡易化も図れる。
【００２１】
【発明の実施の形態】
以下、本発明によるナースコールシステムを適用した好ましい形態の一実施例について、図面を参照して説明する。
【００２２】
図１は、本発明の一実施例によるナースコールシステムの構成を示す回路ブロック図であり、従来例と同様に病室番号が１０１号室、１０２号室、・・・に予め割り当てられた病室内の各病床に設置され、当該病床の患者がナースセンター内の看護婦および（または）巡回中の看護婦に対して呼出しが必要とされる場合に押下する呼出ボタン、ここではチーム番号が第１〜第４チームに予め割り当てられている第１〜第４チーム呼出ボタン１１ａ〜１４ａ、１１ｂ〜１４ｂ、・・・、および各チーム共通として予め割り当てられているチーム共通呼出ボタン１５ａ、１５ｂ、・・・が備えられた子機１ａ〜５ａ、１ｂ〜５ｂ、・・・と、病室（１０１号室、１０２号室、・・・）毎に設置され、子機１ａ〜５ａ、１ｂ〜５ｂ、・・・の第１〜第４チーム呼出ボタン１１ａ〜１４ａ、１１ｂ〜１４ｂ、・・・、およびチーム共通呼出ボタン１５ａ、１５ｂ、・・・からの呼出しを検出する集合廊下灯２０ａ、２０ｂ、・・・と、当該ナースコールシステムを制御（システム制御）する制御機３０と、ナースセンター内に設置され、子機１ａ〜５ａ、１ｂ〜５ｂ、・・・の第１〜第４チーム呼出ボタン１１ａ〜１４ａ、１１ｂ〜１４ｂ、・・・、およびチーム共通呼出ボタン１５ａ、１５ｂ、・・・からの呼出しが制御機３０を介して通報（呼出通報）されるナースコール親機４０と、子機１ａ〜５ａ、１ｂ〜５ｂ、・・・の第１〜第４チーム呼出ボタン１１ａ〜１４ａ、１１ｂ〜１４ｂ、・・・、およびチーム共通呼出ボタン１５ａ、１５ｂ、・・・からの呼出しに応じて、ナースコール親機４０の制御により呼出した病室の方向を表示する複数の方向表示灯、ここでは左・上・下・右の各方向を表示する方向表示灯６０ａ〜６０ｄと、子機１ａ〜５ａ、１ｂ〜５ｂ、・・・の第１〜第４チーム呼出ボタン１１ａ〜１４ａ、１１ｂ〜１４ｂ、・・・、およびチーム共通呼出ボタン１５ａ、１５ｂ、・・・からの呼出しが通報（呼出通報）されるとともに通話機能を備え、チーム毎に指定された巡回中の看護婦により携帯される複数のハンディナース子機７０ａ〜７０ｄと、複数のハンディナース子機７０ａ〜７０ｄをそれぞれ無線制御（呼出通報制御、通話制御等）するハンディナース基地局８０と、ハンディナース基地局８０を制御するハンディナース主装置９０とで構成されている。尚、子機１ａ〜５ａ、１ｂ〜５ｂ、・・・には、当該病床の患者が看護婦との通話を成立させる通話機能（図示、詳述せず）も備えられている。
【００２３】
集合廊下灯２０ａ、２０ｂ、・・・はそれぞれ同様な構成であり、子機１ａ〜５ａ、１ｂ〜５ｂの第１〜第４チーム呼出ボタン１１ａ〜１４ａ、１１ｂ〜１４ｂ、・・・、およびチーム共通呼出ボタン１５ａ、１５ｂ、・・・の押下をそれぞれ検出する呼出検出回路２１ａ〜２５ａ、２１ｂ〜２５ｂ、・・・と、当該集合廊下灯を制御するＣＰＵ（以下、廊下灯ＣＰＵと称す）２６ａ、２６ｂ、・・・と、幹線Ｌ1a、Ｌ1b、・・・をそれぞれ介して後述する制御機３０のデータ送受信回路３１との間の信号伝送路を形成し諸データ（後述）を送受信するデータ送受信回路２７ａ、２７ｂ、・・・とが備えられている。尚、集合廊下灯２０ａ、２０ｂ、・・・には、呼出表示機能、通話制御機能（図示、詳述せず）も備えられている。
【００２４】
制御機３０には、幹線Ｌ1a、Ｌ1b、・・・をそれぞれ介して集合廊下灯２０ａ、２０ｂ、・・・のデータ送受信回路２７ａ、２７ｂ、・・・、幹線Ｌ2を介して後述するナースコール親機４０のデータ送受信回路４１、および幹線Ｌ3を介して後述するハンディナース主装置９０のデータ送受信回路９１との間の信号伝送路をそれぞれ形成し諸データ（後述）を送受信するデータ送受信回路３１と、当該制御機を制御するＣＰＵ（以下、制御機ＣＰＵと称す）３２と、制御機ＣＰＵ３２に接続され、病室（１０１号室、１０２号室、・・・）内の当該病床の患者からの呼出しを受け容れる複数のハンディナース子機７０ａ〜７０ｄをチーム単位毎に設定するための呼出通報登録情報、呼出した病室の方向を表示する左・上・下・右の各方向の方向表示灯６０ａ〜６０ｄを点灯させるための呼出通報登録情報がそれぞれ記憶されるメモリ３３とが備えられている。
【００２５】
ナースコール親機４０には、幹線Ｌ2を介して制御機３０のデータ送受信回路３１との間の信号伝送路を形成し諸データ（後述）を送受信するデータ送受信回路４１と、当該ナースコール親機を制御するＣＰＵ（以下、親機ＣＰＵと称す）４２と、子機１ａ〜５ａ、１ｂ〜５ｂ、・・・をそれぞれ選局するために押下される子機選局ボタン４３ａ、４３ｂ、・・・と、押下された当該子機選局ボタンに対応して点灯するとともに呼出表示のために点滅する子機表示ＬＥＤ４４ａ、４４ｂ、・・・と、左・上・下・右の各方向の方向表示灯６０ａ〜６０ｄに対応して設置され点滅する左・上・下・右の各方向の方向表示ボタン４５ａ〜４５ｄと、各チーム（第１〜第４）を選択するために押下される第１〜第４チーム選択ボタン４６ａ〜４６ｄと、病室（１０１号室、１０２号室、・・・）内の当該病床の患者からの呼出しを受け容れる複数のハンディナース子機７０ａ〜７０ｄをチーム単位毎に設定する、または左・上・下・右の各方向の方向表示灯６０ａ〜６０ｄを病室毎に設定するために押下される設定ボタン４７と、複数のハンディナース子機７０ａ〜７０ｄおよび左・上・下・右の各方向の方向表示灯６０ａ〜６０ｄの設定内容を登録する、確認する、取消すためにそれぞれ押下される登録ボタン４８、確認ボタン４９、取消ボタン５０と、左・上・下・右の各方向の方向表示灯６０ａ〜６０ｄに対応して設置され、親機ＣＰＵ４２の制御によりオン／オフされるＮＰＮ型トランジスタ（以下、第１のトランジスタと称す）５１ａ〜５１ｄ、第１のトランジスタ５１ａ〜５１ｄに連動してオン／オフされリレー５３ａ〜５３ｄを駆動／非駆動させるＰＮＰ型トランジスタ（以下、第２のトランジスタと称す）５２ａ〜５２ｄ、リレー５３ａ〜５３ｄ、リレー５３ａ〜５３ｄの駆動により点灯される左・上・下・右の各方向の方向表示ＬＥＤ５４ａ〜５４ｄ、リレー３５ａ〜３５ｄの駆動／非駆動に連動して閉成／開成されるリレースイッチ５５ａ〜５５ｄとが備えられている。また、ベースが親機ＣＰＵ４２に接続された第１のトランジスタ５１ａ〜５１ｄのコレクタには第２のトランジスタ５２ａ〜５２ｄのベースが、エミッタには基準電位点がそれぞれ接続されている。また、エミッタが電源Ｖccに接続された第２のトランジスタ５２ａ〜５２ｄのコレクタには、他端が基準電位点に接続されたリレー５３ａ〜５３ｄの一端と、抵抗（符号付与せず）を介して他端が基準電位点に接続された左・上・下・右の各方向の方向表示ＬＥＤ５４ａ〜５４ｄの一端とがそれぞれ接続されている。また、切換接点が電源Ｖccに接続されたリレースイッチ５５ａ〜５５ｄのメイク接点には、他端が基準電位点に接続された左・上・下・右の各方向の方向表示灯６０ａ〜６０ｄの一端がそれぞれ接続されている。さらに、子機選局ボタン４３ａ、４３ｂ、・・・、子機表示ＬＥＤ４４ａ、４４ｂ、・・・、左・上・下・右の各方向の方向表示ボタン４５ａ〜４５ｄ、第１〜第４チーム選択ボタン４６ａ〜４６ｄ、設定ボタン４７、登録ボタン４８、確認ボタン４９、取消ボタン５０は、親機ＣＰＵ４２にそれぞれ接続され、当該親機ＣＰＵの制御により動作状態に対応して点灯、点滅、消灯するものである。尚、ナースコール親機４０には���病室（１０１号室、１０２号室、・・・）内の当該病床の患者からの呼出しを音声（呼出音）の鳴動により通報する呼出通報機能（図示、詳述せず）、看護婦が呼出した当該病床の患者との通話を成立させるための通話機能（図示、詳述せず）も備えられている。
【００２６】
ハンディナース主装置９０には、幹線Ｌ3を介して制御機３０のデータ送受信回路３１との間の信号伝送路を形成し諸データ（後述）を送受信するデータ送受信回路９１と、当該ハンディナース主装置を制御するＣＰＵ（以下、主装置ＣＰＵと称す）９２と、幹線Ｌ4を介してハンディナース基地局８０との間の信号伝送路を形成し諸データ（後述）を送受信するデータ送受信回路９３とが備えられている。
【００２７】
このように構成された本発明の一実施例によるナースコールシステムにおいて、以下、その動作について説明する。尚、病室（１０１号室、１０２号室、・・・）内の当該病床の患者からの呼出しを受け容れる複数のハンディナース子機７０ａ〜７０ｄをチーム単位毎に設定する動作についての説明は、従来例と同様であることから省略し、設定された呼出通報登録情報は、制御機３０のメモリ３３に予め記憶されているものとする。
【００２８】
呼出した病室（１０１号室、１０２号室、・・・）の方向を表示する左・上・下・右の各方向の方向表示灯６０ａ〜６０ｄを、チームナーシングの機能を損なわずに設定する、ここでは１０１号室内の子機１ａが設置された病床の患者からの呼出しの際に１０１号室の方向を表示する当該方向表示灯を左方向表示灯６０ａに設定するためには、先ずナースセンター内の看護婦がナースコール親機４０の設定ボタン４７を所定の時間継続して押下、例えば２秒間継続して押下する。この操作を検出して待受状態から設定状態（以下、方向表示灯設定状態と称す）に移行された親機ＣＰＵ４２は、設定ボタン４７を点滅させる。これを確認後、１０１号室内の子機１ａに該当した子機選局ボタン４３ａを押下すると、この操作を検出した親機ＣＰＵ４２の制御により、１０１号室内の子機１ａに該当した子機表示ＬＥＤ４４ａが点灯されるとともに左・上・下・右の各方向の方向表示ボタン４５ａ〜４５ｄが全て点滅される。
【００２９】
ここで、呼出した１０１号室の方向を表示させる当該方向表示灯を、左方向表示灯６０ａに設定するためには、左方向に該当したナースコール親機４０の左方向表示ボタン４５ａを押下する。この操作を検出した親機ＣＰＵ４２は、点滅されている左・上・下・右の各方向の方向表示ボタン４５ａ〜４５ｄのうち、左方向表示ボタン４５ａのみ点滅状態を保持させ、他の方向の方向表示ボタン４５ｂ〜４５ｄについては消灯させるとともに登録ボタン４８を点滅させる。これを確認後、登録ボタン４８を押下すると、この操作を検出した親機ＣＰＵ４２は、１０１号室内の子機１ａが設置された病床の患者から呼出された際の呼出元情報に左方向表示灯６０ａのみを点灯させる登録情報（以下、方向表示灯登録情報と称す）を加えた呼出通報登録情報（以下、呼出通報登録情報データと称す）Ｓ1をデータ送受信回路４１に送出し、この呼出通報登録情報データＳ1は、データ送受信回路４１、幹線Ｌ2、制御機３０のデータ送受信回路３１、制御機ＣＰＵ３２を介してメモリ３３に記憶されるとともに、親機ＣＰＵ４２の制御により、左方向表示ボタン４５ａ、登録ボタン４８が点灯され、かつ所定の時間、例えば２秒後には、点灯中の全てのボタン、ＬＥＤが消灯され、方向表示灯設定状態の当該親機ＣＰＵは待受状態に復旧する。
【００３０】
尚、上述と同様な設定操作により、他の病室（１０２号室、・・・）内の当該病床の患者からの呼出しの際に病室の方向を表示する当該方向表示灯を、上・下・右の各方向の方向表示灯６０ｂ〜６０ｄにそれぞれ設定することができる（詳述せず）。また、左・上・下・右の各方向の方向表示灯６０ｂ〜６０ｄの設定内容を確認する操作、および取消す操作についての説明は省略する。
【００３１】
次に、上述のように呼出した病室（１０１号室、１０２号室、・・・）の方向を表示する左・上・下・右の各方向の方向表示灯６０ａ〜６０ｄが設定され、かつ従来例のようにチームナーシングが設定されている際、病室（１０１号室、１０２号室、・・・）内の当該病床の患者のうち、ここでは１０１号室内の子機１ａが設置された病床の患者がナースセンター内の看護婦および（または）ハンディナース子機７０ａを携帯した巡回中の看護婦に対して呼出しが必要とされ、第１チーム呼出ボタン１１ａを押下すると、この操作を検出した集合廊下灯２０ａの呼出検出回路２１ａから廊下灯ＣＰＵ２６ａに（呼出元の）子機情報が送出される。廊下灯ＣＰＵ２６ａは、呼出検出回路２１ａからの子機情報に１０１号室の病室情報を加えた呼出データＳ2をデータ送受信回路２７ａに送出し、この呼出データＳ2は、データ送受信回路２７ａ、幹線Ｌ1a、制御機３０のデータ送受信回路３１を介して制御機ＣＰＵ３２に伝送される。
【００３２】
制御機３０の制御機ＣＰＵ３２は、集合廊下灯２０ａからの呼出データＳ2をなす病室情報、子機情報と、メモリ３３に予め記憶されている呼出通報登録情報データＳ1をなす呼出元情報、方向表示灯登録情報、およびチームナーシング設定の際の当該呼出通報登録情報データをなす呼出元情報、チームナーシング登録情報とを照合し、病室情報、子機情報、および方向表示灯登録情報を含む呼出通報データＳ3aをデータ送受信回路３１、幹線Ｌ2、ナースコール親機４０のデータ送受信回路４１を介して親機ＣＰＵ４２に、病室情報、子機情報、およびチームナーシング登録情報を含む呼出通報データＳ3bをデータ送受信回路３１、幹線Ｌ3、ハンディナース主装置９０のデータ送受信回路９１を介して主装置ＣＰＵ９２にそれぞれ送出する。
【００３３】
ナースコール親機４０の親機ＣＰＵ４２は、制御機３０からの呼出通報データＳ3aをなす病室情報、子機情報をもとに、１０１号室内の子機１ａが設置された病床の患者からの呼出しを検出し、この呼出しをナースセンター内の看護婦に通報するために、１０１号室内の子機１ａに該当した子機表示ＬＥＤ４４ａを点滅させるとともに図示しない呼出通報機能を能動とし呼出音を鳴動させ、かつ呼出通報データＳ3aをなす方向表示灯登録情報に該当した第１のトランジスタ５１ａのみオンとする。また、第１のトランジスタ５１ａがオンされることにより第２のトランジスタ５２ａがオンとなり、これに連動してリレー５３ａが駆動しリレースイッチ５５ａが閉成されるとともに、左方向表示ＬＥＤ５４ａが点灯し呼出した１０１号室の方向が表示される。さらに、リレースイッチ５５ａの閉成により、左方向表示灯６０ａが点灯し呼出した１０１号室の方向が表示される。これにより、呼出した病室の方向を確認する看護婦の視認性および利便性が向上されることに起因して迅速な対応が可能となる。
【００３４】
ハンディナース主装置９０の主装置ＣＰＵ９２は、制御機３０からの呼出通報データＳ3bを、データ送受信回路９３、幹線Ｌ4を介してハンディナース基地局８０に送出し、ハンディナース基地局８０は、呼出通報データＳ3bをなすチームナーシング登録情報をもとに、複数のハンディナース子機７０ａ〜７０ｄのうち、ハンディナース子機７０ａにのみ呼出通報データＳ3bを無線伝送させる。
【００３５】
ハンディナース子機７０ａは、ハンディナース基地局８０からの呼出通報データＳ3bをなす病室情報、子機情報をもとに、１０１号室内の子機１ａが設置された病床の患者からの呼出しを検出し、この呼出しを巡回中の看護婦に通報するために、図示しない呼出通報機能を能動とし呼出音を鳴動させるとともにモニタに呼出元情報を表示させる。
【００３６】
【発明の効果】
以上の説明から明らかなように、本発明のナースコールシステムによれば、巡回中の看護婦が携帯する複数のハンディナース子機のうち、病室内の当該病床の患者が押下する子機の呼出ボタンからの呼出しを受け容れる当該ハンディナース子機をチーム単位毎で設定および制御するチームナーシングの機能を損なわずに、呼出した病室の方向を表示する複数の方向表示灯を、子機の呼出ボタンからの呼出しが集合廊下灯、制御機を介して通報されるナースセンター内のナースコール親機にて設定および制御できる。これにより、複数の方向表示灯を設定および制御するための方向表示制御機が不要となり施工コストが抑制されるとともに、施工業者による作業の簡易化も図れる。
【図面の簡単な説明】
【図１】  本発明の一実施例によるナースコールシステムの構成を示す回路ブロック図である。
【図２】  従来のナースコールシステムの構成を示す回路ブロック図である。
【符号の説明】
１ａ〜５ａ、１ｂ〜５ｂ、・・・ ……子機
１１ａ〜１５ａ、１１ｂ〜１５ｂ、・・・ ……呼出ボタン
２０ａ、２０ｂ、・・・ ……集合廊下灯
３０……制御機
３１……データ受信回路（データ送受信回路）
３３……メモリ
４０……ナースコール親機
４１……データ送信回路（データ送受信回路）
４２……ＣＰＵ
４３ａ、４３ｂ、・・・ ……子機選局ボタン
４４ａ、４４ｂ、・・・  ……子機表示ＬＥＤ
４５ａ〜４５ｄ……方向表示ボタン
４７……設定ボタン
６０ａ〜６０ｄ……複数の方向表示灯
【図１】
0004473424.tif 000002
【図２】
0004473424.tif 000003